(57)【特許請求の範囲】
【請求項１】
対象機器を遠隔操作する防水リモコンであって、
防水構造のケースと、
前記ケースに接触した状態で前記ケース内に収容されるものであって、前記ケースを振動させることにより音を発生させる振動スピーカと、
前記ケース内に収容されたマイクロホンと、
を備え、
前記ケースには、音を放出させるための放音孔と集音するための集音孔とが形成されておらず、
前記ケースは、
箱状に形成されたケース本体と、
前記ケース本体に取り付けられているものであって前記ケース本体の正面を覆うカバー部材と、
を有し、
前記ケース本体の正面には開口孔が形成されており、当該開口孔は、前記カバー部材によって塞がれており、
前記振動スピーカは、前記開口孔を介して前記カバー部材に取り付けられた正面を有し、
前記振動スピーカの側面と前記開口孔の内面との間には隙間が形成されており、
前記カバー部材は、前記ケース本体の正面に接着される接着層を有し、
前記接着層は、前記開口孔に対応する部分にも設けられており、
前記振動スピーカは、その正面が前記接着層における前記開口孔に対応する部分に接着されることにより、前記カバー部材に取り付けられていることを特徴とする防水リモコン。
【請求項２】
前記防水リモコンは、前記振動スピーカによる音声出力と、前記マイクロホンによる音声入力とが同時に行われないように構成されている請求項１に記載の防水リモコン。
【発明の詳細な説明】
【技術分野】
【０００１】
本発明は、防水リモコンに関する。
【背景技術】
【０００２】
従来から、対象機器を遠隔操作する防水リモコンとして、例えば浴室に設置されるものであって給湯機器を遠隔操作するものが知られている（例えば特許文献１参照）。特許文献１には、防水リモコンがスピーカを有している点、及び、スピーカの前方に放音孔が設けられている点が記載されている。
【先行技術文献】
【特許文献】
【０００３】
【特許文献１】特開２０１１−１３５９７４号公報
【発明の概要】
【発明が解決しようとする課題】
【０００４】
ここで、例えば他のリモコンと通話するために、防水リモコンにマイクロホンが搭載される場合がある。この場合、防水リモコンに、放音孔とは別に、集音するための集音孔が設けられる場合がある。上記のように放音孔や集音孔が設けられている場合、当該放音孔や集音孔から水が浸入するおそれがある。この場合、例えば水の浸入を抑制するためにゴムパッキン等を設けることも考えられる。しかしながら、経年劣化やゴムパッキンの位置ずれ等が生じた場合には、放音孔や集音孔から水がケース内に浸入する場合が生じ得る。このため、防水リモコンの防水性については未だ改善の余地がある。
【０００５】
本発明は、上述した事情を鑑みてなされたものであり、その目的は防水性の向上を図ることができる防水リモコンを提供することである。
【課題を解決するための手段】
【０００６】
上記目的を達成する防水リモコンは、対象機器を遠隔操作するものであって、防水構造のケースと、前記ケースに接触した状態で前記ケース内に収容されるものであって、前記ケースを振動させることにより音を発生させる振動スピーカと、前記ケース内に収容されたマイクロホンと、を備え、前記ケースには、音を放出させるための放音孔と集音するための集音孔とが形成されていないことを特徴とする。
【０００７】
かかる構成によれば、振動スピーカを用いてケースを振動させることにより音を発生させることができ、これを通じて利用者に音による報知を行うことができる。また、マイクロホンを用いて例えば他のリモコンとの通話等を行うことができる。そして、ケースには、放音孔及び集音孔の双方が形成されていないため、防水性の向上を図ることができる。
【０００８】
上記防水リモコンについて、前記ケースは、箱状に形成されたケース本体と、前記ケース本体に取り付けられているものであって前記ケース本体の正面を覆うカバー部材と、を有し、前記ケース本体の正面には開口孔が形成されており、当該開口孔は、前記カバー部材によって塞がれており、前記振動スピーカは、前記開口孔を介して前記カバー部材に取り付けられた正面を有し、前記振動スピーカの側面と前記開口孔の内面との間には隙間が形成されていてもよい。かかる構成によれば、振動スピーカの側面と開口孔の内面との間には隙間が形成されているため、振動スピーカの側面と開口孔の内面との当接に起因して振動スピーカの振動が阻害されるといった不都合を抑制することができる。これにより、振動スピーカを用いて好適に音を発生させることができる。
【０００９】
上記防水リモコンについて、前記カバー部材は、前記ケース本体の正面に接着される接着層を有し、前記接着層は、前記開口孔に対応する部分にも設けられており、前記振動スピーカは、その正面が前記接着層における前記開口孔に対応する部分に接着されることにより、前記カバー部材に取り付けられていてもよい。かかる構成によれば、カバー部材をケース本体に取り付けるのに用いられる接着層によって、振動スピーカがカバー部材に取り付けられている。これにより、振動スピーカをカバー部材に取り付けるための専用の部材を設ける必要がない分だけ、構成の簡素化を図ることができる。
【００１０】
上記防水リモコンは、前記振動スピーカによる音声出力と、前記マイクロホンによる音声入力とが同時に行われないように構成されていてもよい。かかる構成によれば、ハウリング等といった両者の干渉による不都合を抑制することができる。
【発明の効果】
【００１１】
この発明によれば、防水性の向上を図ることができる。
【図面の簡単な説明】
【００１２】
【図１】防水リモコンを模式的に示す斜視図。
【図２】防水リモコンを模式的に示す斜視図。
【図３】防水リモコンの分解斜視図。
【図４】防水リモコンの内部構造を示す背面図。
【図５】図４の５−５線断面図。
【図６】図４の６−６線断面図。
【発明を実施するための形態】
【００１３】
以下、防水リモコンの一実施形態について説明する。なお、本実施形態はあくまで一例であって、本発明がこれに限定されるものではない。また、図５については、図示の都合上、振動スピーカ１３については側面図で示す。
【００１４】
図１及び図２に示すように、防水リモコン１０は、台所や浴室等の室内の壁面１００に設置されるものである。本実施形態では、防水リモコン１０は、対象機器としての給湯機器１０１を遠隔操作する給湯用リモコンである。給湯機器１０１は、例えば自然冷媒ヒートポンプ給湯機（エコキュート（登録商標））である。防水リモコン１０と、給湯機器１０１と、防水リモコン１０とは別に設けられた他のリモコンとによって給湯システムが構成されている。防水リモコン１０と他のリモコンとは、例えば給湯機器１０１を介して通話可能に構成されている。
【００１５】
防水リモコン１０は、壁面１００に取り付けられる防水構造のケース１１を備えている。ケース１１内には、表示ユニット１２、振動スピーカ１３及びマイクロホン１４等、複数の部品が収容されている。ケース１１は例えば直方体形状であり、壁面１００と対向又は接触している背面１１ａと、背面１１ａとは反対側の正面（前面）１１ｂと４つの側面１１ｃ〜１１ｆとを有している。図１及び図２に示すように、ケース１１の正面１１ｂ及び側面１１ｃ〜１１ｆには、音を放出するための放音孔と集音するための集音孔とが形成されていない。本実施形態では、ケース１１の正面１１ｂ及び側面１１ｃ〜１１ｆには、ケース１１を内外に貫通する孔が形成されていない。
【００１６】
なお、壁面１００への防水リモコン１０の取付手法については任意であるが、例えば専用の取付板を壁面１００に固定し、その取付板に防水リモコン１０を取り付けてもよいし、ネジなどを用いて防水リモコン１０を直接壁面１００に直接取り付けてもよい。
【００１７】
図３に示すように、ケース１１は、箱状に形成されたケース本体２１と、ケース本体２１の正面２１ｂを覆うカバー部材２２とを有している。ケース本体２１は、例えば２つのケース構成体３１，３２で構成されている。第１ケース構成体３１は一方が開口した有底箱形状である。第２ケース構成体３２は矩形板状である。両ケース構成体３１，３２は、第１ケース構成体３１の開口の周縁部３１ａと第２ケース構成体３２の周縁部３２ａとが突き合わされた状態で組み付けられている。そして、両周縁部３１ａ，３２ａ同士が溶着されている。この場合、第１ケース構成体３１の底面がケース本体２１の正面２１ｂを構成する。
【００１８】
なお、両周縁部３１ａ，３２ａ同士を溶着するための具体的な手法については任意であるが、例えば両周縁部３１ａ，３２ａによって挟持される熱線を設け、当該熱線を通電することにより熱溶着する構成や、振動溶着する構成等が考えられる。
【００１９】
図３に示すように、ケース本体２１の正面２１ｂには、表示ユニット１２が嵌め込まれる表示窓４１と、振動スピーカ１３が挿通される開口孔４２と、操作ボタン４３とが設けられている。操作ボタン４３は、給湯機器１０１の動作に対応させて複数設けられている。例えば、操作ボタン４３には、自動での湯張り動作を行うための湯張ボタンや、給湯機器１０１に対して、所定量の湯水を予め定められた設定温度まで加熱する沸き増し動作を行うための沸増ボタンや、他のリモコンと通話する（インターホン機能を使用する）ための通話ボタン等がある。
【００２０】
カバー部材２２は、ケース本体２１に取り付けられている。詳細には、カバー部材２２は、ケース本体２１の正面２１ｂと同一形状の樹脂板２２ａと、ケース本体２１の正面２１ｂに接着される接着層としての接着シート２２ｂとを有している。接着シート２２ｂは、ケース本体２１の正面２１ｂと同一形状の両面テープである。接着シート２２ｂにおける操作ボタン４３に対応する箇所及び表示窓４１に対応する箇所は切り欠かれている。一方、接着シート２２ｂにおける開口孔４２に対応する箇所は切り欠かれていない。つまり、接着シート２２ｂは、開口孔４２に対応する部分にも設けられている。
【００２１】
カバー部材２２（詳細には樹脂板２２ａ）は、接着シート２２ｂがケース本体２１の正面２１ｂに接着されることにより、ケース本体２１に取り付けられている。この場合、表示窓４１及び開口孔４２は、カバー部材２２によって塞がれている。これにより、表示窓４１や開口孔４２から水が浸入することが抑制されている。カバー部材２２の正面がケース１１の正面１１ｂを構成し、第１ケース構成体３１の側面（詳細には両ケース構成体３１，３２の周縁部３１ａ，３２ａ）がケース１１の側面１１ｃ〜１１ｆを構成している。
【００２２】
なお、樹脂板２２ａは、例えば透明のアクリル樹脂で形成されており、その裏面には、遮光パターンが印刷されている。当該遮光パターンにおいては、表示ユニット１２に対応する箇所が切り欠かれているとともに、操作ボタン４３に対応する箇所が枠状に切り欠かれている。このため、表示ユニット１２等は視認可能となっている一方、その他の部分は視認できないようになっている。
【００２３】
次にケース１１の内部構造について説明する。
図３及び図４に示すように、ケース１１内には２枚の回路基板５１，５２が収容されている。両回路基板５１，５２のうち第１回路基板５１は、操作ボタン４３の背面側に配置されており、操作ボタン４３が操作されたことを検知する検知回路等が実装されている。また、図４に示すように、第１回路基板５１と第２回路基板５２とは、ハーネス５３を介して電気的に接続されている。そして、第２回路基板５２には、各種制御を行う制御ＣＰＵ５４が実装されている。検知回路の検知信号は、制御ＣＰＵ５４に入力される。制御ＣＰＵ５４は、配線５５（図３参照）を介して、給湯機器１０１に接続されており、検知信号に応じて各種制御を行う。
【００２４】
なお、図３に示すように、ケース１１の背面１１ａ、詳細にはケース本体２１の第２ケース構成体３２には、配線５５が挿通されるための挿通孔５６が形成されている。また、防水リモコン１０は、配線５５が隙間なく挿通されたパッキン５７を備えており、挿通孔５６は、パッキン５７によって塞がれている。このため、ケース１１は、配線５５が引き出された状態で密閉されている。
【００２５】
図４に示すように、防水リモコン１０は、ケース１１内に収容されたマイクロホン１４を有している。マイクロホン１４は、第２回路基板５２に実装されており、取得した音声信号を制御ＣＰＵ５４に送信する。マイクロホン１４と振動スピーカ１３とは、正面及び背面から見て対角配置されている。
【００２６】
振動スピーカ１３は例えば略円柱状である。開口孔４２は、振動スピーカ１３よりも一回り大きく形成された円形状である。振動スピーカ１３は、開口孔４２に挿通された状態で、接着シート２２ｂによってカバー部材２２に接着されている。詳細には、既に説明した通り、接着シート２２ｂは、開口孔４２に対応する部分にも設けられている。このため、振動スピーカ１３の軸線方向の一端面である正面１３ａは、開口孔４２を介して、接着シート２２ｂにおける開口孔４２に対応する部分に接着されている。つまり、振動スピーカ１３（詳細には振動スピーカ１３の正面１３ａ）は、接着シート２２ｂによって、カバー部材２２（詳細には樹脂板２２ａ）に接触した状態で取り付けられている。
【００２７】
かかる構成において、振動スピーカ１３は、制御ＣＰＵ５４に電気的に接続されており、制御ＣＰＵ５４からの指令に基づいて、ケース１１を振動させることにより音を発生させる。なお、振動スピーカ１３の具体的な構成は任意であるが、例えばムービングコイルと磁石とを有する構成でもよいし、圧電セラミックスを有する構成でもよい。
【００２８】
ここで、図４及び図５に示すように、開口孔４２が振動スピーカ１３よりも一回り大きく形成されている関係上、振動スピーカ１３の側面１３ｂと開口孔４２の内面４２ａとの間には、隙間６０が形成されている。なお、開口孔４２の内面４２ａは、開口孔４２を区画形成する壁面である。本実施形態では、図５に示すように、開口孔４２の周縁部は、後方に向けて突出しており、枠状となっている。
【００２９】
また、第２回路基板５２には、当該第２回路基板５２と振動スピーカ１３とが干渉しないように凹部６１が形成されている。
ちなみに、図５に示すように、振動スピーカ１３の背面とケース１１とは離間している。同様に、図６に示すように、マイクロホン１４とケース１１とは離間している。すなわち、本実施形態では、マイクロホン１４は、ケース１１内に伝達される空気の振動を検知する。
【００３０】
制御ＣＰＵ５４は、操作ボタン４３のうち通話ボタンが操作されていない場合には、必要に応じて振動スピーカ１３を用いて音による各種報知を行う。例えば、制御ＣＰＵ５４は、自動での湯張り動作が完了した場合には、湯張り動作が完了した旨の音声報知が行われるように振動スピーカ１３を制御する。一方、制御ＣＰＵ５４は、操作ボタン４３のうち通話ボタンが操作されていない場合にはマイクロホン１４による音声入力を禁止する。
【００３１】
そして、制御ＣＰＵ５４は、上記通話ボタンが操作されている期間中に限り、マイクロホン１４による音声入力を許可し、給湯機器１０１を介して他のリモコンとの通話を行う。一方、制御ＣＰＵ５４は、上記通話ボタンが操作されている期間中、振動スピーカ１３を用いた音による各種報知を禁止する。すなわち、防水リモコン１０は、振動スピーカ１３による音声出力と、マイクロホン１４による音声入力とが同時に行われないように構成されている。
【００３２】
次に本実施形態の作用について説明する。
ケース１１内に収容されている振動スピーカ１３及びマイクロホン１４によって、音声による各種報知や他のリモコンとの通話を行うことが可能となっている。また、ケース１１には、音を放出するための放音孔や、集音するための集音孔が形成されていない。
【００３３】
以上詳述した本実施形態によれば以下の効果を奏する。
（１）防水リモコン１０は、防水構造のケース１１と、ケース１１に収容されるものとして振動スピーカ１３及びマイクロホン１４とを備えている。振動スピーカ１３は、ケース１１に接触しており、ケース１１を振動させることにより音を発生させる。そして、ケース１１には、音を放出させるための放音孔と、集音するための集音孔とが形成されていない。これにより、防水性の向上を図ることができる。
【００３４】
ここで、例えば、放音孔や集音孔からの湯水の浸入を抑制するために、ゴムパッキンに代えて、空気を通す一方水を通さないフィルタを、放音孔や集音孔に設ける構成も考えられる。しかしながら、上記のようなフィルタが設けられている場合であっても、浴室等の湿気が高い環境下にリモコンが長期間晒されると、放音孔や集音孔を介してケース１１内に湿気が伝わり、ケース１１内の電子部品等に異常が生じ得る。これに対して、本実施形態では、上記放音孔や集音孔自体が存在しないため、上記不都合を回避できる。また、放音孔に水の膜が形成されることに起因する放音性の低下を回避できる。
【００３５】
更に、ゴムパッキンやフィルタのような防水のための部品を省略できるため、構成の簡素化を図ることができる。また、放音孔や集音孔のための加工が必要ないため、製造の容易化を図ることができる。
【００３６】
ちなみに、放音孔が形成されていない場合、音がケース１１外に伝わりにくい場合がある。しかしながら、本実施形態では、音を発生させるものとして、ケース１１を直接振動させることにより音を発生させる振動スピーカ１３を採用しているため、放音孔がなくても好適に音を発生させることができる。また、ケース１１全体が振動することとなるため、指向性も広くなる。これにより、防水性の向上を図りつつ、音による報知を好適に行うことができる。
【００３７】
（２）ケース１１は、箱状に形成されたケース本体２１と、ケース本体２１に取り付けられているものであってケース本体２１の正面２１ｂを覆うカバー部材２２とを備えている。ケース本体２１の正面２１ｂには、カバー部材２２によって塞がれた開口孔４２が形成されている。振動スピーカ１３は、当該開口孔４２を介してカバー部材２２に取り付けられた正面１３ａを有しており、振動スピーカ１３の側面１３ｂと開口孔４２の内面４２ａとの間には隙間６０が形成されている。これにより、振動スピーカ１３の側面１３ｂと開口孔４２の内面４２ａとの当接に起因して振動スピーカ１３の振動が阻害されるといった不都合を抑制でき、それを通じて好適に音を発生させることができる。
【００３８】
（３）特に、ケース１１内において、開口孔４２が形成されている箇所は、開口孔４２が形成されていない箇所と比較して、ケース本体２１（詳細には第１ケース構成体３１）の厚さ分だけ、前後方向の設置スペースが広くなっている。そして、振動スピーカ１３は、前後方向の設置スペースが比較的広い開口孔４２が形成されている箇所に配置されており、当該開口孔４２を介してカバー部材２２に接着されている。これにより、振動スピーカ１３の厚さ（詳細には前後方向の長さ）が厚い場合であっても、好適に振動スピーカ１３を配置できる。
【００３９】
（４）カバー部材２２は、ケース本体２１の正面２１ｂに接着される接着層としての接着シート２２ｂを有しており、当該接着シート２２ｂによってケース本体２１に取り付けられている。かかる構成において、接着シート２２ｂは、開口孔４２に対応する部分にも設けられており、振動スピーカ１３は、その正面１３ａが接着シート２２ｂにおける開口孔４２に対応する部分に接着されることにより、カバー部材２２に接触した状態で取り付けられている。これにより、カバー部材２２をケース本体２１に取り付けるのに用いられる接着シート２２ｂによって、振動スピーカ１３がカバー部材２２に取り付けられているため、構成の簡素化を図ることができる。
【００４０】
また、振動スピーカ１３は、接着によってケース１１のカバー部材２２に取り付けられている。これにより、板バネやネジ等といった部品を用いることなく、振動スピーカ１３の位置決めを行うことができる。
【００４１】
（５）防水リモコン１０は、振動スピーカ１３による音声出力と、マイクロホン１４による音声入力とが同時に行われないように構成されている。これにより、ハウリング等といった両者の干渉による不都合を抑制できる。
【００４２】
（６）ケース１１内には、各種部品が実装される第２回路基板５２が収容されている。第２回路基板５２には、当該第２回路基板５２と振動スピーカ１３とが干渉しないように凹部６１が形成されている。これにより、振動スピーカ１３の厚さが厚い場合であっても、振動スピーカ１３と第２回路基板５２とをケース１１内に好適に配置できる。
【００４３】
（７）マイクロホン１４は、ケース１１に対して離間している。これにより、ケース１１の振動が直接マイクロホン１４に伝わらないようになっている。よって、ノイズの影響を抑制することができる。
【００４４】
なお、上記実施形態は以下のように変更してもよい。
○  ケース１１の形状は、直方体形状に限られず、任意である。同様に、カバー部材２２の具体的な形状は任意であり、例えばケース１１の正面１１ｂ及び側面１１ｃ〜１１ｆを覆う有底箱形状であってもよい。また、樹脂板２２ａ及び接着シート２２ｂは、同一形状である必要はなく、異なる形状であってもよい。
【００４５】
○  接着層としては、接着シート２２ｂに限定されず、例えば樹脂板２２ａに対する塗布層やフィルム層等であってもよい。
○  振動スピーカ１３の形状は円柱状に限られず任意である。また、開口孔４２は、振動スピーカ１３の形状に対応させて形成されていれば、その具体的な形状は任意である。例えば、表示窓４１と開口孔４２とが１つにつながるような形状であってもよい。
【００４６】
○  ケース本体２１へのカバー部材２２の取付手法は、接着シート２２ｂを用いた接着に限られず、任意である。
○  カバー部材２２を省略してもよい。この場合、ケース本体２１の正面２１ｂには、開口孔４２がなく、振動スピーカ１３はケース本体２１に接着されているとよい。
【００４７】
○  振動スピーカ１３（詳細には振動スピーカ１３の正面１３ａ）は、接着シート２２ｂによってカバー部材２２に接着されていたが、これに限られず、専用の接着部材によって接着される構成でもよい。また、カバー部材２２への振動スピーカ１３の取付手法は、接着に限られず任意であり、例えば締結具を用いて取り付ける構成でもよい。
【００４８】
○  振動スピーカ１３のケース１１への取付位置は、正面１１ｂに限られず任意である。例えば、振動スピーカ１３は、ケース１１の側面１１ｃ〜１１ｆのいずれかに接触した状態で取り付けられていてもよい。
【００４９】
○  振動スピーカ１３の側面１３ｂと開口孔４２の内面４２ａとの間に隙間６０がなく、両者が接触していてもよい。また、振動スピーカ１３の背面とケース１１とが接触していてもよい。
【００５０】
○  開口孔４２の周縁部は、後方に向けて突出していなくてもよい。
○  マイクロホン１４は第２回路基板５２に実装されていたが、これに限られず、ケース本体２１に固定されていてもよい。この場合、マイクロホン１４はケース１１（詳細にはケース本体２１）に接触していてもよい。
【００５１】
○  ケース１１内における振動スピーカ１３及びマイクロホン１４の位置は任意であり、対角配置されていなくてもよい。
○  第２回路基板５２の凹部６１を省略してもよい。
【００５２】
○  ケース１１内には２枚の回路基板５１，５２が収容されていたが、回路基板の枚数は任意であり、例えば１枚であってもよい。
○  挿通孔５６は、ケース１１の側面１１ｃ〜１１ｆのいずれかにあってもよい。
【００５３】
○  挿通孔５６及びパッキン５７を省略してもよい。この場合、例えばケース１１に防水コネクタを設け、当該防水コネクタを介して制御ＣＰＵ５４と給湯機器１０１とを接続してもよいし、両者を無線によって接続してもよい。
【００５４】
○  防水リモコン１０は、振動スピーカ１３による音声出力と、マイクロホン１４による音声入力とが同時に行われ得るように構成されていてもよい。
○  防水リモコン１０と他のリモコンとは、給湯機器１０１を介することなく、直接通話可能に構成されていてもよい。
【００５５】
○  防水リモコン１０は、台所に設置される台所リモコン、浴室に設置される浴室リモコン、又はこれら台所リモコンや浴室リモコンとは別に設けられたサブリモコンであってもよい。
【００５６】
○  給湯機器１０１は、ガスエンジンや燃料電池などで発電を行い、その際に発生する排熱を利用して水を加熱するコージェネレーションタイプのものであってもよい。
○  対象機器は、給湯機器１０１に限られず、任意である。例えば対象機器として太陽光発電機器を採用してもよい。また、対象機器は玄関に設けられる玄関子機であってもよい。この場合、リモコンは室内に設置されるインターホン親機である。また、対象機器は、床暖房機器であってもよいし、浴室換気乾燥機であってもよい。
【００５７】
次に、上記実施形態及び別例から把握できる好適な一例について以下に記載する。
（イ）マイクロホンはケースに対して離間していてもよい。
（ロ）ケース内には回路基板が収容されており、回路基板には、当該回路基板と振動スピーカとが干渉しないように凹部が形成されていてもよい。
【００５８】
（ハ）防水リモコンは、浴室に設置される給湯用リモコンであってもよい。
【符号の説明】
【００５９】
１０…防水リモコン、１１…ケース、１３…振動スピーカ、１３ａ…振動スピーカの正面、１３ｂ…振動スピーカの側面、１４…マイクロホン、２１…ケース本体、２１ｂ…ケース本体の正面、２２…カバー部材、４２…開口孔、４２ａ…開口孔の内面、４４…接着シート、６０…隙間、６１…凹部、１０１…給湯機器（対象機器）。
【図１】
0006494980.tif 000002
【図２】
0006494980.tif 000003
【図３】
0006494980.tif 000004
【図４】
0006494980.tif 000005
【図５】
0006494980.tif 000006
【図６】
0006494980.tif 000007